(57)【要約】【課題】電力網が閉じている領域に対して、電力をより安定して供給できる発電機制御装置及び発電機制御方法を得ることを目的とする。【解決手段】電力網が閉じている領域に対して電力を供給する複数の発電機２０Ａ〜２０Ｇの起動及び停止を制御するＤＣＳ２４は、発電機２０Ａ〜２０Ｇ毎に起動及び停止のタイミングを予め定め、かつ時間毎の電力の供給量を示した運転パターンに基づいて、発電機２０Ａ〜２０Ｇの起動及び停止を制御し、発電機２０Ａ〜２０Ｇの出力の変動量を導出し、導出した変動量に応じて発電機２０Ａ〜２０Ｇの起動及び停止を制御する。【選択図】図１
2013258874.tif 000002
【特許請求の範囲】
【請求項１】
電力網が閉じている領域に対して電力を供給する複数の発電機の起動及び停止を制御する発電機制御装置であって、
前記発電機毎に起動及び停止のタイミングを予め定め、かつ時間毎の電力の供給量を示した運転パターンに基づいて、前記発電機の起動及び停止を制御する第１制御手段と、
前記発電機の出力の変動量を導出する導出手段と、
前記導出手段によって導出された変動量に応じて前記発電機の起動及び停止を制御する第２制御手段と、
を備えた発電機制御装置。
【請求項２】
前記第２制御手段は、前記運転パターンに基づいて予め定められた発電機を起動させる際における前記変動量が第１の値よりも大きい場合に、該予め定められた発電機を、通常の起動に比べて起動に要する時間が短い緊急起動によって起動させる請求項１記載の発電機制御装置。
【請求項３】
前記第２の制御手段は、前記運転パターンに基づいて予め定められた発電機を起動させる際における前記変動量が該予め定められた発電機の起動では電力の供給が不十分となることを示している場合に、該予め定められた発電機と共に該予め定められた発電機とは異なる他の発電機を起動させる請求項１又は請求項２記載の発電機制御装置。
【請求項４】
前記第２制御手段は、通常の起動に比べて起動に要する時間が短い緊急起動によって起動するように、前記他の発電機を起動させる請求項３記載の発電機制御装置。
【請求項５】
前記第２制御手段は、前記発電機の起動が失敗しても該発電機を再起動させず、該発電機とは異なる他の発電機を起動させる請求項１から請求項４の何れか１項記載の発電機制御装置。
【請求項６】
前記運転パターンに基づいて運転させる前記発電機の切り替えを実行する場合、新たに運転させる発電機の起動が完了した後に、運転状態の発電機を停止させる請求項１から請求項５の何れか１項記載の発電機制御装置。
【請求項７】
前記運転パターンは、前記発電機の切り替えを実行するタイミングが電力の需要の変動が少ない時間帯とされる請求項６記載の発電機制御装置。
【請求項８】
運転状態の発電機を停止できる場合であっても、予め定められた時間経過後に電力の需要が上昇すると予測される場合には、該運転状態の発電機を停止させる制御を行わない請求項１から請求項７の何れか１項記載の発電機制御装置。
【請求項９】
複数の前記発電機のうち、異常の発生により起動の禁止対象となる発電機を検出する請求項１から請求項８の何れか１項記載の発電機制御装置。
【請求項１０】
前記発電機の運転状態及び運転予定の少なくとも何れか一方を報知する報知手段をさらに備えた請求項１から請求項９の何れか１項記載の発電機制御装置。
【請求項１１】
前記発電機の運転状態を記憶する請求項１から請求項１０の何れか１項記載の発電機制御装置。
【請求項１２】
前記運転パターンは、予め定められた時間帯の電力の供給量と電力需要の予測量との差が、他の時間帯に比較して大きくされている請求項１から請求項１１の何れか１項記載の発電機制御装置。
【請求項１３】
実際の電力の需要量に対して前記運転パターンに示される電力の供給量では不足する場合に、予め定められた発電機をさらに起動させる請求項１から請求項１２の何れか１項記載の発電機制御装置。
【請求項１４】
前記運転パターンに基づいた前記発電機の運転が不可能となった場合に、予め定められた発電機を起動させ、その後、前記運転パターンに基づいた前記発電機の起動及び停止が可能となった場合に、該運転パターンに基づいて前記発電機の起動及び停止を制御する請求項１から請求項１３の何れか１項記載の発電機制御装置。
【請求項１５】
電力網が閉じている領域に対して電力を供給する複数の発電機の起動及び停止を制御する発電機制御装置であって、
前記発電機毎に起動及び停止のタイミングを予め定め、かつ時間毎の電力の供給量を示した運転パターンに基づいて運転させる前記発電機の切り替えを実行する場合、新たに運転させる発電機の起動が完了した後に、運転状態の発電機を停止させる発電機制御装置。
【請求項１６】
電力網が閉じている領域に対して電力を供給する複数の発電機の起動及び停止を制御する発電機制御装置の発電機制御方法であって、
前記発電機毎に起動及び停止のタイミングを予め定め、かつ時間毎の電力の供給量を示した運転パターンに基づいて、前記発電機の起動及び停止を制御する第１工程と、
前記発電機の出力の変動量を導出する第２工程と、
導出した前記変動量に応じて前記発電機の起動及び停止を制御する第３工程と、
を含む発電機制御方法。
【請求項１７】
電力網が閉じている領域に対して電力を供給する複数の発電機の起動及び停止を制御する発電機制御装置の発電機制御方法であって、
前記発電機毎に起動及び停止のタイミングを予め定め、かつ時間毎の電力の供給量を示した運転パターンに基づいて運転させる前記発電機の切り替えを実行する場合、新たに運転させる発電機の起動が完了した後に、運転状態の発電機を停止させる発電機制御方法。
【発明の詳細な説明】
【技術分野】
【０００１】
本発明は、発電機制御装置及び発電機制御方法に関するものである。
【背景技術】
【０００２】
発電機を複数備えている発電所においては、常に全ての発電機を運転させて発電を行ってはおらず、複数の発電機の一部を運転させて発電を行っている。
【０００３】
特許文献１には、運転効率をより高めるために、運転させる発電機を選択する場合に、予め設定されている運転パターンの現時点から設定時間までの運転パターン指令値、運転パターン指令値と各発電機の運転積算時間、運転パターン指令値と各発電機の運転積算流量、運転パターン指令値と各発電機の運転積算流量、運転積算時間を用いて運転する発電機を選択する技術が公開されている。
【先行技術文献】
【特許文献】
【０００４】
【特許文献１】特開平７−１０３１２６号公報
【発明の概要】
【発明が解決しようとする課題】
【０００５】
一方、電力網が閉じている領域に対する発電（例えば、島嶼発電）では、運転効率と共に安定して電力を供給する必要性が生じる。しかし、特許文献１に記載の技術では、電力を安定して供給するという問題は解消されていない。
【０００６】
本発明は、このような事情に鑑みてなされたものであって、電力網が閉じている領域に対して、電力をより安定して供給できる発電機制御装置及び発電機制御方法を提供することを目的とする。
【課題を解決するための手段】
【０００７】
上記課題を解決するために、本発明の発電機制御装置は以下の手段を採用する。
【０００８】
すなわち、本発明に係る発電機制御装置は、電力網が閉じている領域に対して電力を供給する複数の発電機の起動及び停止を制御する発電機制御装置であって、前記発電機毎に起動及び停止のタイミングを予め定め、かつ時間毎の電力の供給量を示した運転パターンに基づいて、前記発電機の起動及び停止を制御する第１制御手段と、前記発電機の出力の変動量を導出する導出手段と、前記導出手段によって導出された変動量に応じて前記発電機の起動及び停止を制御する第２制御手段と、を備える。
【０００９】
本発明によれば、電力網が閉じている領域に対して電力を供給する複数の発電機の起動及び停止を制御する発電機制御装置は、第１制御手段によって、発電機毎に起動及び停止のタイミングを予め定め、かつ時間毎の電力の供給量を示した運転パターンに基づいて、発電機の起動及び停止が制御され、導出手段によって発電機の出力の変動量が導出され、第２制御手段によって、導出手段で導出された変動量に応じて発電機の起動及び停止が制御される。
【００１０】
本発明に係る発電機制御装置は、運転パターンに基づいて発電機を制御すると共に、発電機の発電量の変動量に応じて発電機を制御する。なお、該変動量とは、発電機に対する電力需要の変動に対応しており、例えば、発電機の出力の変化の傾きである。
【００１１】
すなわち、電力網が閉じている領域に対して、予め作成されている運転パターンに基づいた発電機の制御だけでは、発電機の発電量が実際の電力需要の増大に対応しきれない場合がある。そこで、本発明に係る発電機制御装置は、該電力需要に対応している発電機の出力の変動量に応じて複数の発電機の起動及び停止を制御するので、電力網が閉じている領域に対して、電力をより安定して供給できる。
【００１２】
また、本発明の発電機制御装置では、前記第２制御手段が、前記運転パターンに基づいて予め定められた発電機を起動させる際における前記変動量が第１の値よりも大きい場合に、該予め定められた発電機を、通常の起動に比べて起動に要する時間が短い緊急起動によって起動させてもよい。
【００１３】
本発明によれば、第２制御手段が、運転パターンに基づいて予め定められた発電機を起動させる際における変動量が第１の値よりも大きい場合に、該予め定められた発電機を、通常の起動に比べて起動に要する時間が短い緊急起動によって起動させる。
【００１４】
発電機を起動させる場合とは、電力需要が増加するタイミングである。しかし、電力需要の増加の変動量が運転パターンで予測していた以上の場合には、発電機が供給する電力量が電力の需要量よりも小さくなってしまう可能性がある。そのため、本発明に係る発電機制御装置では、変動量が第１の値よりも大きい場合は、起動させる発電機を緊急起動により起動させるので、電力の供給量が電力の需要量よりも小さくなることを防ぐことができる。
【００１５】
また、本発明の発電機制御装置では、前記第２の制御手段が、前記運転パターンに基づいて予め定められた発電機を起動させる際における前記変動量が該予め定められた発電機の起動では電力の供給が不十分となることを示している場合に、該予め定められた発電機と共に該予め定められた発電機とは異なる他の発電機を起動させてもよい。
【００１６】
本発明によれば、第２の制御手段が、運転パターンに基づいて予め定められた発電機を起動させる際における変動量が該予め定められた発電機の起動では電力の供給が不十分となることを示している場合に、該予め定められた発電機と共に該予め定められた発電機とは異なる他の発電機を起動させる。
【００１７】
予め定められた発電機を起動させても、電力需要の変動量が大きく、運転予定の複数の発電機の総発電量よりも電力の需要量の方が大きくなる場合がある。このような場合に、本発明に係る発電機制御装置は、予め定められた発電機とは異なる他の発電機をさらに起動させるので、電力の供給量が電力の需要量よりも小さくなることを防ぐことができる。
【００１８】
また、本発明の発電機制御装置では、前記第２制御手段が、通常の起動に比べて起動に要する時間が短い緊急起動によって起動するように、前記他の発電機を起動させてもよい。
【００１９】
本発明によれば、第２制御手段が、通常の起動に比べて起動に要する時間が短い緊急起動によって起動するように、他の発電機を起動させるので、電力の供給量が電力の需要量よりも小さくなることを防ぐことができる。
【００２０】
また、本発明の発電機制御装置では、前記第２制御手段が、前記発電機の起動が失敗しても該発電機を再起動させず、該発電機とは異なる他の発電機を起動させてもよい。
【００２１】
本発明によれば、第２制御手段が、発電機の起動が失敗しても該発電機を再起動させず、該発電機とは異なる他の発電機を起動させるので、起動の失敗を繰り返すことを防ぐことができ、この結果、電力の供給量が電力の需要量よりも小さくなることを防ぐことができる。
【００２２】
また、本発明の発電機制御装置では、前記発電機毎に起動及び停止のタイミングを予め定め、かつ時間毎の電力の供給量を示した運転パターンに基づいて運転させる前記発電機の切り替えを実行する場合、新たに運転させる発電機の起動が完了した後に、運転状態の発電機を停止させる。
【００２３】
本発明によれば、電力網が閉じている領域に対して電力を供給する複数の発電機の起動及び停止を制御する発電機制御装置は、運転パターンに基づいて運転させる発電機の切り替えを実行する場合、新たに運転させる発電機の起動が完了した後に、運転状態の発電機を停止させる。このため、発電機の起動が失敗したことによって、電力の供給量が電力の需要量よりも小さくなることを防ぐことができ、その結果、電力網が閉じている領域に対して、電力をより安定して供給できる。
【００２４】
また、本発明の発電機制御装置では、前記運転パターンは、前記発電機の切り替えを実行するタイミングを電力の需要の変動が少ない時間帯とされてもよい。
【００２５】
本発明によれば、運転パターンが、発電機の切り替えを実行するタイミングを、電力の需要の変動が少ない時間帯、例えば深夜から早朝（０時から５時）又は昼間（２時から５時）等、としているので、発電機の起動及び停止が失敗しても、電力の供給が滞る可能性を抑制することができる。
【００２６】
また、本発明の発電機制御装置では、運転状態の発電機を停止できる場合であっても、予め定められた時間経過後に電力の需要が上昇すると予測される場合には、該運転状態の発電機を停止させる制御を行わなくてもよい。
【００２７】
本発明によれば、電力需要の予測量が電力の供給量よりも所定量以上少なく運転状態の発電機を停止できる場合であっても、予め定められた時間経過後に電力の需要が上昇すると予測される場合には、該運転状態の発電機を停止させる制御を行わないので、必要以上に発電機の起動及び停止を繰り返すことを抑制することができる。
【００２８】
また、本発明の発電機制御装置では、複数の前記発電機のうち、異常の発生により起動の禁止対象となる発電機を検出及び設定してもよい。
【００２９】
本発明によれば、異常の発生により起動の禁止対象となる発電機を検出するので、異常が発生している発電機を運転させてしまい、該発電機が停止し、電力の供給が滞ることを抑制することができる。
【００３０】
また、本発明の発電機制御装置では、前記発電機の運転状態及び運転予定の少なくとも何れか一方を報知する報知手段をさらに備えてもよい。
【００３１】
本発明によれば、報知手段によって、発電機の運転状態及び運転予定の少なくとも何れか一方が報知されるので、ユーザは、発電機の運転状態及び運転予定を適宜確認することができる。
【００３２】
また、本発明の発電機制御装置では、前記発電機の運転状態を記憶してもよい。
【００３３】
本発明によれば、発電機の運転状態が記憶されるので、ユーザは、発電機の過去の運転状態を適宜確認することができる。
【００３４】
また、本発明の発電機制御装置では、前記運転パターンが、予め定められた時間帯の電力の供給量と電力需要の予測量との差を他の時間帯に比較して大きくてもよい。
【００３５】
本発明によれば、運転パターンにおける、予め定められた時間帯の電力の供給量と電力需要の予測量との差を他の時間帯に比較して大きくしているので、電力需要が増大すると予測される時間帯、例えば、朝（６時から９時）、昼（１１時から１３時）、夕方（１８時から２１時）、夏場の昼間等に電力の供給が滞ることを抑制することができる。
【００３６】
また、本発明の発電機制御装置では、実際の電力の需要量に対して前記運転パターンに示される電力の供給量では不足する場合に、予め定められた発電機をさらに起動させてもよい。
【００３７】
本発明によれば、運転パターンに示される電力の供給量では不足する場合に、予め定められた発電機が起動されるので、電力の供給が滞ることを抑制することができる。
【００３８】
また、本発明の発電機制御装置では、前記運転パターンに基づいた前記発電機の運転が不可能となった場合に、予め定められた発電機を起動させ、その後、前記運転パターンに基づいた前記発電機の起動及び停止が可能となった場合に、該運転パターンに基づいて前記発電機の起動及び停止を制御してもよい。
【００３９】
本発明によれば、運転パターンに基づいた発電機の運転が不可能となった場合に、予め定められた発電機を起動させ、その後、運転パターンに基づいた発電機の運転が可能となった場合に、該運転パターンに基づいて発電機の起動及び停止を制御するので、電力の供給が滞ることを抑制することができる。
【００４０】
また、上記課題を解決するために、本発明に係る発電機制御装置は、電力網が閉じている領域に対して電力を供給する複数の発電機の起動及び停止を制御する発電機制御装置であって、前記発電機毎に起動及び停止のタイミングを予め定め、かつ時間毎の電力の供給量を示した運転パターンに基づいて運転させる前記発電機の切り替えを実行する場合、新たに運転させる発電機の起動が完了した後に、運転状態の発電機を停止させる。
【００４１】
また、上記課題を解決するために、本発明に係る発電機制御方法は、電力網が閉じている領域に対して電力を供給する複数の発電機の起動及び停止を制御する発電機制御装置の発電機制御方法であって、前記発電機毎に起動及び停止のタイミングを予め定め、かつ時間毎の電力の供給量を示した運転パターンに基づいて、前記発電機の起動及び停止を制御する第１工程と、前記発電機の出力の変動量を導出する第２工程と、導出した前記変動量に応じて前記発電機の起動及び停止を制御する第３工程と、を含む。
【００４２】
本発明によれば、電力網が閉じている領域に対して電力を供給する複数の発電機の起動及び停止を制御する発電機制御装置の発電機制御方法であって、発電機毎に起動及び停止のタイミングを予め定め、かつ時間毎の電力の供給量を示した運転パターンに基づいて、発電機の起動及び停止を制御し、発電機の出力の変動量を導出し、導出した変動量に応じて発電機の起動及び停止を制御するので、電力網が閉じている領域に対して、電力をより安定して供給できる。
【００４３】
また、上記課題を解決するために、本発明に係る発電機制御方法は、電力網が閉じている領域に対して電力を供給する複数の発電機の起動及び停止を制御する発電機制御装置の発電機制御方法であって、前記発電機毎に起動及び停止のタイミングを予め定め、かつ時間毎の電力の供給量を示した運転パターンに基づいて運転させる前記発電機の切り替えを実行する場合、新たに運転させる発電機の起動が完了した後に、運転状態の発電機を停止させる。
【００４４】
本発明によれば、電力網が閉じている領域に対して電力を供給する複数の発電機の起動及び停止を制御する発電機制御装置の発電機制御方法であって、運転パターンに基づいて運転させる発電機の切り替えを実行する場合、新たに運転させる発電機の起動が完了した後に、運転状態の発電機を停止させるので、発電機の起動が失敗したことによって、電力の供給量が電力の需要量よりも小さくなることを防ぐことができ、その結果、電力網が閉じている領域に対して、電力をより安定して供給できる。
【発明の効果】
【００４５】
電力網が閉じている領域に対して、電力をより安定して供給できる。
【図面の簡単な説明】
【００４６】
【図１】本発明の第１実施形態に係る発電システムの構成を示すブロック図である。
【図２】本発明の第１実施形態に係る運転パターンの一例を示す模式図である。
【図３】本発明の第１実施形態に係る切り替えパターンの決定の説明に要する模式図である。
【図４】本発明の第１実施形態に係る切り替えパターンの決定の説明に要する模式図である。
【図５】本発明の第１実施形態に係る発電機運転プログラムの処理の流れを示すフローチャートである。
【図６】本発明の第２実施形態に係る発電機切替プログラムの処理の流れを示すフローチャートである。
【図７】本発明の第２実施形態に係る発電システムにおいて発電量の異なる２台の発電機を起動させる場合の説明によるする図である。
【図８】本発明の第２実施形態に係る発電システムにおいて発電量の異なる２台の発電機を停止させる場合の説明に要する図である。
【図９】本発明の第２実施形態に係る発電システムにおいて１台の発電機を起動させ、１台の発電機を停止させる場合の説明に要する図である。
【図１０】本発明の第２実施形態に係る発電システムにおいて発電量の異なる２台の発電機を起動させ、１台の発電機を停止させる場合の説明に要する図である。
【図１１】本発明の第２実施形態に係る発電システムにおいて発電量の異なる２台の発電機を起動させ、発電量の異なる２台の発電機を停止させる場合の説明に要する図である。
【発明を実施するための形態】
【００４７】
以下に、本発明に係る発電システム１０の一実施形態について、図１から図５を用いて説明する。
【００４８】
〔第１実施形態〕
以下、本発明の第１実施形態について説明する。
【００４９】
図１に本第１実施形態に係る発電システム１０の構成を示す。
【００５０】
本第１実施形態に係る発電システム１０は、一例として、島（離島）に発電機が備えられており、該発電機によって島で消費する電力を生成する島嶼発電に係るシステムである。なお、本第１実施形態の発電システム１０は、一例として、Ａ島、Ｂ島、及びＣ島の３つの島に適用されるが、島の数は４つ以上又は１つでも構わない。
なお、Ａ島、Ｂ島、及びＣ島における発電システム１０に係る構成は、後述するクライアントＰＣ２５がＡ島に備えられる一方、Ｂ島及びＣ島にはクライアントＰＣ２５が備えられないこと以外、同一である。
本第１実施形態に係る各島には、複数の発電機２０Ａ〜２０Ｇが設けられている。なお、発電機２０Ａ〜２０Ｇは、出力（以下、「発電量」という。）が異なる発電機、及び発電量が同じ発電機が混在している。以下の説明において、各発電機２０を区別する場合は、符号の末尾に対応するＡ〜Ｇの何れかを付して説明し、各発電機２０を区別しない場合は、符号の末尾に対応するＡ〜Ｇを省略する。また、図１に示される各島の設けられている発電機２０の数は一例であり、各島毎に異なっていてもよい。
【００５１】
各島には、サーバ２２、モニタ２３、及びＤＣＳ(Distributed  Control  System）２４が設けられている。サーバ２２、モニタ２３、及びＤＣＳ２４は、ネットワーク回線３０を介して各々接続され、各種情報の送受信が可能とされている。
また、各島のネットワーク回線３０は、ルータ２６及びネットワーク回線３１を介して各々接続されている。これにより、各島に設けられているネットワーク回線３０に接続されている機器は、他の島に設けられている機器との間で各種情報の送受信が可能とされている。
なお、サーバ２２、モニタ２３、及びクライアントＰＣ２５には、各々を操作するための、キーボードやマウス等で構成される操作部３２，３３，３４が接続されている。
【００５２】
サーバ２２は、各種情報を処理すると共に、各島に設けられている発電機２０の運転パターンを作成し、記憶する。
なお、運転パターンとは、各島に設けられている発電機２０毎に起動及び停止のタイミングを予め設定し、かつ時間毎の電力の供給量を示したものであり、月毎及び日毎の各島に設けられている発電機２０の運転計画である。運転パターンは、各島における電力の需要予測及び発電機２０の定期的なメンテナンスの予定も加味して作成される。
そして、サーバ２２は、運転パターン情報により示される運転パターンに基づいて、発電機２０の制御指示をＤＣＳ２４へ出力する。
【００５３】
ＤＣＳ２４は、ＣＰＵ３５を有しており、サーバ２２から出力された発電機２０の操作指示、モニタ２３に接続された操作部３３を介した発電機２０の起動及び停止の操作指示等に基づいて、発電機２０を制御する。
【００５４】
モニタ２３は、画像によって発電機２０の運転状態及び運転パターンに基づく運転予定等をユーザに報知したり、操作部３３を介した発電機２０の制御指示の入力を受け付けるための画像が表示される。
【００５５】
Ａ島に設けられているクライアントＰＣ２５は、Ａ島のみならず、Ｂ島やＣ島各島に設けられている発電機２０の運転状態等の監視や、Ｂ島やＣ島の発電機２０並びにサーバ２２を制御することが可能とされている。換言すると、クライアントＰＣ２５を備えているＡ島が親局であり、クライアントＰＣ２５を備えていないＢ島及びＣ島は子局となり、Ａ島の運転員によって、Ｂ島及びＣ島の発電機２０の制御も可能とされている。
【００５６】
また、本第１実施形態に係る発電システム１０は、運転状態にある発電機２０の発電量の変動量を導出し、該変動量に応じて、発電機２０の起動及び停止を制御するオンライン制御が可能とされている。例えば、運転員による操作部３３を介した操作によって、モニタ２３に表示されるオンライン制御の開始ボタンがクリックされることによってオンライン制御が開始される。
オンライン制御が開始されると、サーバ２２は、運転パターンに基づいた運転状態にある発電機２０の発電量の変動量を導出し、該変動量に応じて、起動及び停止等の制御対象となる発電機２０を特定する。そして、特定された発電機２０の制御がＤＣＳ２４によって行われる。
【００５７】
ここで、運転パターン情報により示される運転パターンの一例について図２を用いて説明する。なお、図２に示される運転パターンは一例としてＢ島に対応した運転パターンである。
【００５８】
図２の線Ａは、一日におけるＢ島での電力需要の予測量を示している。線Ａに示される電力需要の予測量は、過去の電力需要の実績、天候、及びＢ島で行われる行事等から決定される。例えば図２では、夜間の電力需要が他の時間に比較して小さく、早朝から正午及び夕方から夜間にかけての電力需要が大きい。
【００５９】
一方、線Ｂは、線Ａに示される電力需要の予測量に応じて発電機２０で発電するべき発電量（ｋＷ）を示している。なお、図２における例では、発電機２０Ａ，２０Ｂが発電開始時における発電機として選択される場合、使用可能とされる発電機２０は、発電機２０Ａ，２０Ｂ，２０Ｃ，２０Ｄ，２０Ｅとされており、他の発電機２０は、使用可能でないとされている。また、使用可能でない発電機２０とは、例えば、定期点検、定期点検よりも短い期間で行われる中期点検、又は故障個所の修理等が行われている発電機である。
【００６０】
そして、線Ｂにおいて、発電量が増加又は減少するタイミングとは、使用する発電機２０を切り替えているタイミングである。そして、該切り替えのタイミングは、線Ａに示される電力需要の予測量に基づいて決定される。なお、以下の説明において、切り替えとは、発電機２０の起動及び停止の少なくとも何れか一方を行うことをいう。
【００６１】
次に、使用する発電機２０の切り替え、すなわち、運転パターンの作成方法について説明する。なお、使用可能とされる発電機２０は、運転パターンを作成する前に予め選択される。
【００６２】
まず、（１）式を用いて発電を開始させる発電機２０を決定する。（１）式によって発電開始時（図２の例では０時）に必要とする発電量（以下、「裕度発電量」という。）ＷＯ（ｋＷ）を算出する。なお、（１）式において、ＷＭＡＸは、発電機２０の最大発電量（ｋＷ）、Ａは、発電機２０の発電量の余裕度を示す起動切替負荷を示す。また、ｎは、発電機２０の末尾の符号（Ａ〜Ｅ）を示し、また、使用可能な発電機２０を例えば発電機２０Ａ，２０Ｂ，２０Ｃ，２０Ｄ，２０Ｅとしている。また、本第１実施形態では、起動切替負荷Ａの一例として０．８（８０％）を適用するが、１（１００％）未満であれば他の値でもよい。
【００６３】
ＷＯ＝ＷＭＡＸｎ×Ａ  ・・・（１）
【００６４】
また、発電機２０を同時に複数台運転する場合は、各発電機２０における裕度発電量ＷＯを合算させる。そして、発電開始時における線Ａで示される電力需要の予測量Ｉと裕度発電量ＷＯとが、（２）式で示される関係を満たす最も少ない数の発電機２０を、使用可能な発電機２０の中から選択する。
【００６５】
Ｉ≦ＷＯ  ・・・（２）
【００６６】
次に、発電開始時における発電機２０を決定した後に、発電機２０の切り替えパターンを生成する。該切り替えパターンの一例を図３に示す。図３では、発電開始時の発電機を発電機２０Ａとしている。また、切り替えパターンを生成する場合には、切り替え回数が予め設定され、図３では、切り替え回数を例えば２回に設定している。なお、切り替え回数が多くなるほど切り替えパターンの数は多くなる。そして、図３では、切り替えパターンは例えば７つ生成されている。
【００６７】
次に、発電機２０の起動及び停止の切り替えタイミングの決定について説明する。
【００６８】
新たに発電機２０を起動させる起動条件は、図２に記載されている線Ａに示される電力需要の予測量に応じて決定する。具体的には、電力需要の予測量は、所定時間毎（例えば、１時間毎）に情報を有しているので、比較対象時間と次の対象時間とを比較し、電力需要が増加している場合を起動条件とする。
【００６９】
そして、（１）式と同様の式で、電力需要を満たす発電量を得ることができる発電機２０を一つ又は複数台決定し、（３）式を満たした場合に該決定した発電機２０を運転させる。すなわち、発電機２０の発電量と電力需要の予測量との差が、予め定められた値（図２の起動切替余裕値）未満となった場合に上記決定した発電機２０を運転させることとなる。
【００７０】
Ｉ≧ＷＯ  ・・・（３）
【００７１】
なお、図２の例では、電力需要が増加する時間帯では、発電機２０Ｆが新たに起動されることとなる。
【００７２】
また、予め定められた時間帯の電力の供給量と電力需要の予測量との差が他の時間帯に比較して大きくなるように、起動切替負荷Ａを時間帯毎に異ならせてもよい。すなわち、起動切替負荷Ａのバイアス設定を行ってもよい。
【００７３】
具体的には、電力需要が増大すると予測される時間帯、例えば、朝（６時から９時）、昼（１１時から１３時）、夕方（１８時から２１時）、夏場の昼間等に上記起動条件を満たす場合がある。このような場合に、起動切替負荷Ａの値を、例えば、０．５（５０％）とする。これにより、突発的に電力需要が増大しても電力の供給が滞ることを抑制することができる。
【００７４】
一方、運転状態の発電機２０を停止させる停止条件を、電力需要の予測量の比較対象時間と次の対象時間を比較し、電力需要が下降している場合とする。
【００７５】
発電を停止させる発電機２０を決定するために、（４）式によって運転状態にある何れかの発電機２０を停止させた後に必要とする裕度発電量ＷＴ（ｋＷ）を算出する。（４）式において、Ｂは、何れかの発電機２０を停止する時に残りの発電機２０の発電量の余裕度を示す停止切替負荷である。なお、本第１実施形態では、停止切替負荷Ｂの一例として０．７（７０％）を適用するが、１（１００％）未満であれば他の値でもよい。しかし、発電機２０を停止させた後に、電力の需要が増加した場合に対応するため、起動切替負荷よりも小さい値が好ましい。
【００７６】
ＷＴ＝ＷＭＡＸｎ×Ｂ  ・・・（４）
【００７７】
なお、発電機２０を同時に複数台運転している場合は、各発電機２０における裕度発電量ＷＴを合算させる。そして、電力需要の予測量Ｉと裕度発電量ＷＴとが、（５）式で示される関係を満たす最も少ない数の発電機２０を選択する。すなわち、該選択された発電機２０に含まれず、運転状態にある発電機２０が停止される発電機となる。
【００７８】
そして、（５）式を満たした場合に該決定した発電機２０を運転させ、他の発電機２０を停止させる。
【００７９】
Ｉ≦ＷＴ  ・・・（５）
【００８０】
なお、（５）式を満たし、運転状態の発電機２０を停止できる場合であっても、予め定められた時間経過内（例えば、３０分内）に電力の需要が上昇すると予測される場合には、運転状態の発電機２０を停止させない。上記予め定められた時間内に電力の需要が上昇するか否かは、線Ａに示される電力需要の予測量から判断される。これにより、必要以上に発電機２０の起動及び停止を繰り返すことを抑制することができるので、発電機２０の起動及び停止に伴う劣化を抑制することができる。
【００８１】
さらに、運転パターンを生成する際に、ミニマム切替時間を設定してもよい。ミニマム切替時間とは、発電機２０の切り替えを禁止する時間間隔（例えば、３０分）であり、発電機２０の切り替えが行われてから、設定されたミニマム切替時間内は、新たな発電機２０の切り替えを行うことができない。これにより、発電機２０の起動及び停止の頻度を減少させることができるので、発電機２０の起動及び停止に伴う劣化を抑制することができる。
【００８２】
次に、上述のようにして作成した切り替えパターン毎の発電量の積分値に基づいて、実際に用いる運転パターンを決定する。図４は、図２に対応する切り替えパターンであり、図４における斜線の領域が発電量の積分値である。運転パターンを決定するために、サーバ２２は、モニタ２３に発電量が電力需要の予測量を常に上回る切り替えパターンを、上記積分値が小さい順から昇順に表示させ、最も適していると思われる切り替えパターンをユーザが選択してもよいし、最も積分値が小さい切り替えパターンを自動的に選択するとしてもよい。なお、発電量が電力需要の予測量を常に上回る切り替えパターンが一つも得られなかった場合、サーバ２２は、その旨を示す情報をモニタ２３に表示させる。
【００８３】
そして、上記決定された切り替えパターンが、運転パターンとして用いられる。
【００８４】
次に、本第１実施形態に係る発電システム１０の作用を説明する。上述したように、発電システム１０は、発電機２０を作成した運転パターンに基づいて起動及び停止の制御を行う発電機運転処理を行う。
【００８５】
図５は、サーバ２２によって実行される発電機運転処理を行うために用いられる発電機運転プログラムの処理の流れを示すフローチャートである。該プログラムは、サーバ２２に設けられている記憶部の予め定められた領域に記憶されている。
【００８６】
まず、ステップ１００では、記憶している運転パターン情報を記憶部から読み出す。
【００８７】
次のステップ１０２では、ステップ１００で読み出した運転パターン情報に基づいて、ＤＣＳ２４に発電機２０を起動させ発電を開始する。
【００８８】
次のステップ１０４では、発電機２０の出力（発電量）の変動量を導出する。なお、本第１実施形態では、運転状態にある発電機２０の発電量の総量を所定時間毎（例えば、１分毎）に検出し、検出した各発電量を比較することにより変動量を導出する。なお、変動量とは、発電機２０に対する電力需要の変動に対応しており、例えば、発電機２０の発電量の変化の傾きである。
【００８９】
次のステップ１０６では、ステップ１０４で導出した変動量が予め定められた所定値以上であるか否かを判定し、肯定判定の場合は、ステップ１０８へ移行する一方、否定判定の場合は、ステップ１１０へ移行する。
【００９０】
ステップ１０８では、ステップ１０４で導出した変動量に応じてオンライン制御を実行し、ステップ１１０へ移行する。
【００９１】
ステップ１１０では、読み出した運転パターン情報により示される運転パターンが、発電機２０の運転期間の終了を示しているか否か判定し、肯定判定の場合は、ステップ１１２へ移行する一方、否定判定の場合は、ステップ１０２へ戻る。
【００９２】
ステップ１１２では、記憶部に記憶されている新たな運転パターン情報の読み出し指示がなされているか否かを判定し、肯定判定の場合は、ステップ１１４へ移行する。
【００９３】
ステップ１１４では、新たな運転パターンを記憶部から読み出した後にステップ１０２へ戻る。
【００９４】
一方、ステップ１１２の判定において、否定判定の場合は、ＤＣＳ２４に発電機２０の運転を停止させると共に本プログラムを終了する。
【００９５】
次に、ステップ１０８におけるオンライン制御について詳細に説明する。
【００９６】
オンライン制御では、ステップ１０４で導出した変動量に応じて発電機２０の起動及び停止を制御する。
【００９７】
具体的には、オンライン制御として、運転パターンに基づいて予め定められた発電機２０（以下、「起動発電機」という。）を起動させる際における変動量が第１の値よりも大きい場合に、該起動発電機を、通常の起動に比べて起動に要する時間が短い緊急起動によって起動させる緊急起動制御を行う。
【００９８】
上記起動発電機を起動させる場合とは、電力需要が増加するタイミングである。しかし、電力需要の増加量が運転パターンで予測していた以上の場合には、起動発電機で供給する電力量が需要量よりも小さくなってしまう可能性がある。
【００９９】
そこで、本第１実施形態では、上記変動量として、起動発電機の発電量の変化の傾きを導出する。そして、該傾きが、起動発電機が供給する電力量が電力の需要量よりも小さくなると予測される値として予め設定された第１の値よりも大きい場合に、起動発電機を緊急起動させる。
【０１００】
このように、緊急起動制御では、変動量が第１の値よりも大きい場合に、起動発電機を緊急起動により起動させるので、電力の供給量が電力の需要量よりも小さくなることを防ぐことができる。
【０１０１】
また、他のオンライン制御として、運転パターンに基づいて起動発電機を起動させる際における変動量が該起動発電機の起動では電力の供給が不十分となることを示している場合に、該起動発電機と共に該起動発電機とは異なる他の発電機２０を起動させる優先モード制御を行う。
【０１０２】
ここで、優先モード制御と緊急起動制御との違いを説明する。緊急起動制御は、電力の需要が増加することによって、起動発電機の起動の完了（予定した発電量への到達）が間に合わずに一時的に電力の供給量が需要量を下回ることを防ぐ制御であり、運転パターンで予定通り運転させる起動発電機の総発電量が電力の需要量よりも小さくなることはない場合に用いられる。一方、優先モード制御は、運転パターンで予定通り運転させる起動発電機の総発電量が電力の需要量よりも小さくなる場合に、他の発電機２０をさらに起動させるので、電力の供給量が電力の需要量よりも小さくなることを防ぐ制御である。
【０１０３】
そこで、本第１実施形態では、導出した変動量である起動発電機の発電量の変化の傾きが、第１の値よりも大きく、かつ運転予定の複数の起動発電機の総発電量が電力の需要量よりも小さくなると予測される値として設定された第２の値となった場合に、上記他の発電機２０をさらに起動させる。これにより、電力の供給量が電力の需要量よりも小さくなることを防ぐことができる。
【０１０４】
さらに、優先モード制御を行う場合として、上記傾きが第２の値よりも大きい場合に限らず、起動発電機の発電量の変化に基づいて、電力の需要量の変化を示す近似式を作成することで、所定時間後の電力の需要量を予測し、起動発電機の総発電量が該予測した電力の需要量より小さくなる場合に、優先モード制御を行うとしてもよい。
【０１０５】
また、優先モード制御では、通常の起動に比べて起動に要する時間が短い緊急起動によって起動するように、上記他の発電機２０を起動させてもよい。
【０１０６】
また、上記他の発電機２０の起動が失敗しても失敗した発電機２０を再起動させず、失敗した発電機２０とは異なる他の発電機２０を起動させてもよい。これにより、起動の失敗を繰り返すことを防ぐことができ、この結果、電力の供給量が電力の需要量よりも小さくなることを防ぐことができる。
【０１０７】
また、サーバ２２は、複数の発電機２０のうち、異常の発生により起動の禁止対象となる発電機２０を検出し、該検出した発電機２０を起動の対象から外す設定を行ってもよい。例えば、各発電機２０毎に発電量を検知し、検知した発電量が予め設定されている発電量に達していない発電機２０を異常の発生した発電機とする。そして、優先モード制御において、異常が発生した発電機２０を上記他の発電機２０として用いない。これにより、異常が発生している発電機２０を運転させてしまい、該発電機２０が停止し、電力の供給が滞ることを抑制することができる。
【０１０８】
また、サーバ２２には、発電機運転処理による発電機２０の運転状態が記憶される。例えば、サーバ２２には、発電機２０を駆動させるための各パラメータ、発電量、オンライン制御による発電機２０の切り替えタイミング等が記憶される。
【０１０９】
また、実際の電力の需要量に対して運転パターンに示される電力の供給量では不足する場合に、予め定められた発電機２０をさらに起動させてもよい。
【０１１０】
起動発電機の発電量の変動量が第１の値又は第２の値よりも小さくても、徐々に電力の重要量が増加していることにより、電力の供給量が不足する場合がある。このような場合に、運転状態にある起動発電機とは異なり、運転パターンでは起動する予定でない、予め定められた発電機２０を起動させ、電力の供給が滞ることを抑制する。なお、該予め定められた発電機２０の起動を緊急起動で行ってもよい。
【０１１１】
さらに、運転パターンに基づいた起動発電機の運転が不可能となった場合に、予め定められた発電機２０を起動させ、その後、運転パターンに基づいた起動発電機の起動及び停止が可能となった場合に、該運転パターンに基づいて起動発電機の起動及び停止を制御してもよい。
【０１１２】
何らかの原因により、起動予定又は運転状態にある起動発電機に異常が発生し、運転パターンに基づいた起動発電機の運転が不可能となる場合がある。このような場合に、運転パターンでは起動する予定でない、予め定められた発電機２０を起動させ、電力の供給を行う。その後、運転パターンに基づいた起動発電機の運転が可能となった場合に、該運転パターンに基づいて起動発電機の運転の起動及び停止を制御するので、電力の供給が滞ることを抑制することができる。
【０１１３】
以上説明したように、第１実施形態に係る発電システム１０では、電力網が閉じている領域に対して電力を供給する発電機２０毎に起動及び停止のタイミングを予め定め、かつ時間毎の電力の供給量を示した運転パターンに基づいて、発電機２０の起動及び停止を制御すると共に、発電機２０の出力の変動量を導出し、導出した変動量に応じて発電機２０の起動及び停止を制御する。
【０１１４】
これにより、運転パターンに基づいた発電機２０の制御だけでは、発電機２０の発電量が実際の電力需要の増大に対応しきれない場合が生じても、電力網が閉じている領域に対して電力をより安定して供給できる。
【０１１５】
〔第２実施形態〕
次に、本発明の第２実施形態について説明する。なお、本第２実施形態に係る発電システム１０の構成は、図１に示される第１実施形態に係る発電システム１０の構成と同様であるので説明を省略する。
【０１１６】
本第２実施形態に係る発電システム１０では、運転パターンに基づいて運転させる発電機２０の切り替えを実行する場合、新たに運転させる発電機２０の起動が完了した後に、運転状態の発電機２０を停止させる発電機切替処理を行う。なお、ここでいう切り替えとは、電力需要の変化により、発電機２０を起動又は停止させる場合のみならず、発電機２０を点検等するために切り替える場合等が含まれる。
【０１１７】
図６は、サーバ２２によって実行される発電機切替処理を行うために用いられる発電機切替プログラムの処理の流れを示すフローチャートである。該プログラムは、サーバ２２に設けられている記憶部の予め定められた領域に記憶されている。
【０１１８】
まず、ステップ２００では、発電機切替処理において、起動対象となる発電機２０があるか否かを運転パターンに基づいて判定し、肯定判定の場合は、ステップ２０２へ移行する一方、否定判定の場合は、ステップ２１６へ移行する。
【０１１９】
次のステップ２０２では、起動対象の発電機２０を起動させる起動処理をＤＣＳ２４に行わせる。
【０１２０】
次のステップ２０４では、起動対象の発電機２０の起動処理が完了したか否かを判定し、肯定判定の場合は、ステップ２０６へ移行する一方、否定判定の場合は、起動が完了するまで待ち状態となる。
【０１２１】
ステップ２０６では、運転状態であり、停止対象の発電機２０があるか否かを運転パターンに基づいて判定し、肯定判定の場合は、ステップ２０８へ移行する一方、否定判定の場合は、ステップ２１４へ移行する。
【０１２２】
ステップ２０８では、停止対象の発電機２０が停止可能であるか否かを判定し、肯定判定の場合は、ステップ２１０へ移行する一方、否定判定の場合は、ステップ２００へ戻る。
【０１２３】
ステップ２１０では、停止対象の発電機２０を停止する停止処理をＤＣＳ２４に行わせる。
【０１２４】
次のステップ２１２では、停止対象の発電機２０の停止処理が完了したか否かを判定し、肯定判定の場合は、ステップ２１４へ移行する一方、否定判定の場合は、停止が完了するまで待ち状態となる。
【０１２５】
ステップ２１４では、起動対象の発電機２０又は停止対象の発電機２０があるか否か、すなわち切り替えが完了したか否かを判定し、肯定判定の場合は、本プログラムを終了する一方、否定判定の場合は、ステップ２００へ戻る。
【０１２６】
一方、ステップ２００で否定判定となった場合に移行するステップ２１６では、停止対象の発電機２０があるか否かを運転パターンに基づいて判定し、肯定判定の場合は、ステップ２１８へ移行する一方、否定判定の場合は、ステップ２１４へ移行する。
【０１２７】
ステップ２１８では、停止対象の発電機２０が停止可能であるか否かを判定し、肯定判定の場合は、ステップ２１０へ移行する一方、否定判定の場合は、ステップ２２０へ移行する。
【０１２８】
ステップ２２０では、起動対象の発電機２０はなく、停止対象の発電機２０は停止できない状態、すなわち電力需要が増大している状態であると考えられため、他の発電機２０をさらに起動させる優先モード制御を行う。なお、その後、電力需要が運転パターンに示される予測量に戻った場合は、他の発電機２０を停止し、運転パターンに基づいて発電機２０の切り替えを実行してもよいし、新たな運転パターンを作成し、該新たに作成した運転パターンに基づいて発電機２０の切り替えを実行してもよい。
【０１２９】
次に、発電機切替処理について具体例を挙げて説明する。
【０１３０】
図７に発電量の異なる２台の発電機２０を起動させる場合の発電量の変化を示す。
【０１３１】
図７に示すように、発電量の異なる２台の発電機２０を起動させる場合には、発電量の大きい発電機２０から起動を開始する。そして、該発電機２０の起動が完了（予定した発電量への到達）し、予め定めた整定時間経過後に、発電量の小さい発電機２０を起動させる。
【０１３２】
図８に発電量の異なる２台の発電機２０を停止させる場合の発電量の変化を示す。
【０１３３】
図８に示すように、発電量の異なる２台の発電機２０を停止させる場合には、発電量の小さい発電機２０から停止を開始する。そして、該発電機２０の停止が完了し、予め定めた整定時間経過後に、発電量の大きい発電機２０を停止させる。
【０１３４】
図９に、１台の発電機２０を起動させ、１台の発電機２０を停止させる場合の発電量の変化を示す。
【０１３５】
図９に示すように、１台の発電機２０を起動させ、１台の発電機２０を停止させる場合は、起動対象の発電機２０を起動させる。そして、該発電機２０の起動が完了し、予め定めた整定時間経過後に、停止対象の発電機２０を停止させる。このように、先に起動対象の発電機２０を起動させ、後に停止対象の発電機２０を停止させる。もし、先に停止対象の発電機２０を停止させ、後に起動対象の発電機２０を起動させると、起動対象の発電機２０の起動が失敗した場合に、電力の供給量が需要量を下回る可能性がある。このような事態となることを防ぐために、本第２実施形態に係る発電システム１０は、先に起動対象の発電機２０を起動させ、後に停止対象の発電機２０を停止させる。
【０１３６】
次に、発電量の異なる２台の発電機２０を起動させ、１台の発電機２０を停止させる場合を説明する。この場合、２台の起動対象の発電機２０の起動が完了した後に、停止対象の発電機２０を停止させる。しかし、図１０に示すように、発電量（電力の供給量）が電力需要を下回らないのであれば、発電量の大きい発電機２０を起動させた後に、停止対象の発電機２０を停止させ、その後、発電量の小さい発電機２０を起動させてもよい。
【０１３７】
次に、発電量の異なる２台の発電機２０を起動させ、発電量の異なる２台の発電機２０を停止させる場合を説明する。この場合、２台の起動対象の発電機２０の起動が完了した後に、２台の停止対象の発電機２０を停止させる。しかし、図１１に示すように、電力の供給量が電力需要を下回らないのであれば、発電量の大きい発電機２０を起動させた後に、発電量の小さい発電機２０を停止させる。そして、発電量の小さい発電機２０を起動させた後に、発電量の大きい発電機２０を停止させてもよい。
【０１３８】
なお、運転パターンでは、発電機２０の切り替えを実行するタイミングを、電力の需要の変動が少ない時間帯としてもよい。運転パターンが、発電機２０の切り替えを実行するタイミングを、電力の需要の変動が少ない時間帯、例えば深夜から早朝（０時から５時）又は昼間（２時から５時）等、とすることにより、発電機２０の起動及び停止が失敗しても、電力の供給が滞る可能性を抑制することができる。また、発電機２０の切り替えのタイミングとして、Ｂ島の行事又は工事等のタイミングを避けるようにしてもよい。
【０１３９】
なお、本第２実施形態に係るＤＣＳ２４は、起動対象の発電機２０の起動が失敗しても、該発電機２０を再起動させず、予め定められた他の発電機２０を起動させる。この場合、異常が検出されている他の発電機２０は、起動の禁止対象となる。
【０１４０】
以上説明したように、第２実施形態に係る発電システム１０では、運転パターンに基づいて運転させる発電機２０の切り替えを実行する場合、新たに運転させる発電機の起動が完了した後に、運転状態の発電機２０を停止させるため、発電機２０の起動が失敗したことによって、電力の供給量が電力の需要量よりも小さくなることを防ぐことができ、その結果、電力網が閉じている領域に対して、電力をより安定して供給できる。
【０１４１】
以上、本発明を、上記各実施形態を用いて説明したが、本発明の技術的範囲は上記各実施形態に記載の範囲には限定されない。発明の要旨を逸脱しない範囲で上記各実施形態に多様な変更または改良を加えることができ、該変更または改良を加えた形態も本発明の技術的範囲に含まれる。
【０１４２】
例えば、上記各実施形態では、モニタ２３に表示される画像によって発電機２０の運転状態をユーザに報知可能とされている場合について説明したが、本発明は、これに限定されるものではなく、例えばネットワーク回線３０に接続されたスピーカ（図示せず）から出力される音声によって発電機２０の運転状態をユーザに報知する形態としてもよい。
【０１４３】
また、上記各実施形態では、発電システム１０が各島においてサーバ２２とＤＣＳ２４を備え、サーバ２２から出力される制御指示に基づいて、ＤＣＳ２４が発電機２０を制御する場合について説明したが、本発明は、これに限定されるものではなく、サーバ２２とＤＣＳ２４両方の機能を有した装置によって発電機２０を制御する形態としてもよい。
【０１４４】
また、上記各実施形態では、発電システム１０を島嶼発電所として機能させる場合について説明したが、本発明は、これに限定されるものではなく、発電システム１０の発電機２０が陸続きの所定の遠隔地へ電力の供給を行う形態としてもよい。
【０１４５】
さらに、上記第１実施形態と上記第２実施形態とを組み合わせた処理を発電システム１０が実行するとしてもよい。
【符号の説明】
【０１４６】
１０  発電システム
２０  発電機
２２  サーバ
２４  ＤＣＳ
【図１】
2013258874.tif 000003
【図２】
2013258874.tif 000004
【図３】
2013258874.tif 000005
【図４】
2013258874.tif 000006
【図５】
2013258874.tif 000007
【図６】
2013258874.tif 000008
【図７】
2013258874.tif 000009
【図８】
2013258874.tif 000010
【図９】
2013258874.tif 000011
【図１０】
2013258874.tif 000012
【図１１】
2013258874.tif 000013